(57)【要約】【課題】従来よりも迅速に印刷を行うことができるようにする。【解決手段】画像形成装置１に、資料の目次情報および資料データの記憶先であるパス情報を含む表紙データＨＤｂを生成する情報付加部１５と、生成された表紙データＨＤｂを用紙に印刷することによって表紙を作成する印刷装置１０ｈと、作成された表紙がスキャナ１０ｉに読み取られた場合に、ハードディスク１０ｄにアクセスすることなく表紙に含まれる目次情報のうちユーザが所望する項目を当該ユーザに選択させる操作パネル１０ｆと、を設け、印刷装置１０ｈは、ユーザによって選択された項目に係る資料データＨＤｂをハードディスク１０ｄから読み出して用紙に印刷する。【選択図】図２
2009302720.tif 000002
【特許請求の範囲】
【請求項１】
目次情報および当該目次情報の各項目に係る資料データの記憶先であるパス情報を含む表紙を読み取る読取ステップと、
前記パス情報に示される記憶先にアクセスすることなく前記表紙に含まれる前記目次情報を表示する表示ステップと、
表示された前記目次情報のうちユーザが所望する項目を当該ユーザに選択させる項目選択ステップと、
選択された前記項目に係る前記資料データを前記パス情報に示される記憶先から読み出す読み出しステップと、
読み出した前記資料データを用紙に印刷する印刷ステップと、
を有することを特徴とする画像形成方法。
【請求項２】
資料を読み取って資料データを生成する読取ステップと、
生成された前記資料データを記憶手段に記憶する記憶ステップと、
前記資料の目次情報および前記資料データの前記記憶手段における記憶先であるパス情報を含む表紙データを生成する情報生成ステップと、
生成された、前記目次情報および前記パス情報を含む前記表紙データを用紙に印刷することによって表紙を作成する表紙印刷ステップと、
作成された前記表紙が読み取られた場合に、前記記憶手段にアクセスすることなく前記表紙に含まれる前記目次情報のうちユーザが所望する項目を当該ユーザに選択させる項目選択ステップと、
選択された前記項目に係る前記資料データを前記記憶手段から読み出し、読み出した当該項目に係る当該資料データを用紙に印刷する資料印刷ステップと、
を有することを特徴とする画像形成方法。
【請求項３】
資料を読み取って資料データを生成する読取手段と、
前記読取手段によって生成された前記資料データを記憶する記憶手段と、
前記資料の目次情報および前記記憶手段における前記資料データの記憶先であるパス情報を含む表紙データを生成する情報生成手段と、
前記情報生成手段によって生成された、前記目次情報および前記パス情報を含む前記表紙データを用紙に印刷することによって表紙を作成する印刷手段と、
作成された前記表紙が前記読取手段によって読み取られた場合に、前記記憶手段にアクセスすることなく前記表紙に含まれる前記目次情報のうちユーザが所望する項目を当該ユーザに選択させる項目選択手段と、を有し、
前記印刷手段は、前記項目選択手段によって選択された前記項目に係る前記資料データを前記記憶手段から読み出し、読み出した当該項目に係る当該資料データを用紙に印刷する、
ことを特徴とする画像形成装置。
【請求項４】
前記情報生成手段は、前記目次情報に係る前記項目ごとにページ情報を前記表紙データに付加し、
前記項目選択手段は、前記目次情報のうちユーザが所望する項目番号、または前記ページ情報のうちユーザが所望するページ番号を当該ユーザに選択させ、
前記印刷手段は、ユーザによって選択された前記項目番号に係る資料データ、または前記ページ番号に係る資料データを前記記憶手段から読み出し、読み出した資料データを用紙に印刷する、
請求項３記載の画像形成装置。
【請求項５】
前記読取手段によって前記資料が読み取られた際に当該資料の中に表紙が存在しない場合に、当該表紙に係る表紙データを生成する表紙作成手段を有する、
請求項３または４記載の画像形成装置。
【請求項６】
前記情報生成手段による前記目次情報および前記パス情報の生成方法として、文字による生成方法および地紋パターンによる生成方法のうちからユーザに選択させる要求を行う生成方法選択要求手段を有する、
請求項３ないし５のいずれかに記載の画像形成装置。
【請求項７】
前記情報生成手段は、正規のユーザの判断を行うためのパスワードを地紋パターンによって前記表紙データに付加し、
前記パスワードを有する前記表紙が前記読取手段によって読み取られた場合に、ユーザに対してパスワードを要求し当該ユーザの認証を行うパスワード要求手段を有し、
前記印刷手段は、前記パスワード要求手段によってユーザが認証された場合にのみ前記項目に係る前記資料データを用紙に印刷する、
請求項３ないし６のいずれかに記載の画像形成装置。
【発明の詳細な説明】
【技術分野】
【０００１】
本発明は、ＭＦＰ等の画像形成装置および画像形成方法に関する。
【背景技術】
【０００２】
従来、画像形成を行う画像形成装置、例えば、複写機、プリンタ、ファクシミリのほか、複合機またはＭＦＰ（Multi Function Peripherals）と呼称される多機能機などが会社などのオフィスで使用されている。
【０００３】
近年、画像形成装置の性能の向上と並行して付加機能の開発が絶え間なく続けられており、既に様々な付加機能が提案されている。例えば、オリジナル電子文書が保存されているドキュメントサーバの情報や当該オリジナル電子文書のファイル名等の情報が埋め込まれた情報付加原稿を読み取って、読み取った各情報に基づいてドキュメントサーバからオリジナル電子文書を取得し、取得したオリジナル電子文書のデータに基づく画像を複写装置によって印刷することが提案されている（特許文献１）。このような方法により、情報付加原稿を紛失した場合でもドキュメントサーバに保存されているものを印刷することによって情報付加原稿を取得することができ、オリジナル電子文書を取得できなくなることを回避できる。また、オリジナル電子文書のデータに基づく画像を印刷することで画質劣化を防止することができる。
【０００４】
また、従来では、記憶装置に記憶されているファイルの必要な項目を出力する際には、当該ファイルのパスが付加された情報付加原稿を読み取って、その読み取った情報に基づいて記憶装置にアクセスし、上記のファイルの目次情報を取得していた。そして、取得した目次情報を表示装置に表示させ、出力したい項目をユーザに選択させて出力していた。
【特許文献１】特開２００４−９４５６３号公報
【発明の開示】
【発明が解決しようとする課題】
【０００５】
しかしながら、従来の方法では、記憶装置に記憶されているファイルの必要な項目を出力する際には、当該記憶装置にアクセスして目次情報を取得していたため、記憶装置へのアクセスによる無駄な時間が生じていた。
【０００６】
本発明は、このような問題点に鑑み、従来よりも迅速に印刷を行うことができるようにすることを目的とする。
【課題を解決するための手段】
【０００７】
本発明の一形態に係る画像形成装置は、資料を読み取って資料データを生成する読取手段と、前記読取手段によって生成された前記資料データを記憶する記憶手段と、前記資料の目次情報および前記記憶手段における前記資料データの記憶先であるパス情報を含む表紙データを生成する情報生成手段と、前記情報生成手段によって生成された、前記目次情報および前記パス情報を含む前記表紙データを用紙に印刷することによって表紙を作成する印刷手段と、作成された前記表紙が前記読取手段によって読み取られた場合に、前記記憶手段にアクセスすることなく前記表紙に含まれる前記目次情報のうちユーザが所望する項目を当該ユーザに選択させる項目選択手段と、を有し、前記印刷手段は、前記項目選択手段によって選択された前記項目に係る前記資料データを前記記憶手段から読み出し、読み出した当該項目に係る当該資料データを用紙に印刷する。
【０００８】
好ましくは、前記情報生成手段は、前記目次情報に係る前記項目ごとにページ情報を前記表紙データに付加し、前記項目選択手段は、前記目次情報のうちユーザが所望する項目番号、または前記ページ情報のうちユーザが所望するページ番号を当該ユーザに選択させ、前記印刷手段は、ユーザによって選択された前記項目番号に係る資料データ、または前記ページ番号に係る資料データを前記記憶手段から読み出し、読み出した資料データを用紙に印刷する。
【０００９】
または、画像形成装置は、前記読取手段によって前記資料が読み取られた際に当該資料の中に表紙が存在しない場合に、当該表紙に係る表紙データを生成する表紙作成手段を有する。
【００１０】
または、画像形成装置は、前記情報生成手段による前記目次情報および前記パス情報の生成方法として、文字による生成方法および地紋パターンによる生成方法のうちからユーザに選択させる要求を行う生成方法選択要求手段を有する。
【発明の効果】
【００１１】
本発明によると、従来よりも迅速に印刷を行うことができる。
【発明を実施するための最良の形態】
【００１２】
図１は画像形成装置１のハードウェア構成の例を示す図、図２は画像形成装置１の機能的構成の例を示す図、図３は付加方法選択画面の例を示す図、図４は表紙ＨＹの例を示す図、図５は項目選択画面の例を示す図である。
【００１３】
画像形成装置１は、コピー、スキャナ、ファックス、ネットワークプリンティング、およびドキュメントサーバなどの様々な機能を集約した処理装置である。複合機またはＭＦＰ（Multi Function Peripherals）などと呼ばれることもある。
【００１４】
「ドキュメントサーバ」とは、ユーザごとに「個人ボックス」または「ボックス」などと呼ばれる、パーソナルコンピュータにおけるフォルダまたはディレクトリなどに相当する記憶領域を設け、管理する機能である。「ボックス機能」と呼ばれることもある。ユーザは、自分の個人ボックスに画像データなどをファイル単位で保存しておくことができる。
【００１５】
画像形成装置１は、公共団体（政府、地方自治体）または企業等のオフィス、学校または図書館等の公共施設、その他種々の場所に設置され、複数のユーザによって共用することができる。
【００１６】
画像形成装置１は、図１に示すように、ＣＰＵ１０ａ、ＲＡＭ１０ｂ、ＲＯＭ１０ｃ、ハードディスク１０ｄ、制御用回路１０ｅ、操作パネル１０ｆ、ＬＡＮインタフェース１０ｇ、印刷装置（エンジン）１０ｈ、スキャナ１０ｉ、およびＦＡＸモデム１０ｊ等によって構成される。
【００１７】
制御用回路１０ｅは、ハードディスク１０ｄ、操作パネル１０ｆ、ＬＡＮインタフェース１０ｇ、印刷装置１０ｈ、スキャナ１０ｉ、およびＦＡＸモデム１０ｊ等を制御するための回路である。
【００１８】
スキャナ１０ｉは、資料に描かれている文章、数式、記号、写真、図表、またはイラスト等のコンテンツを光学的に読み取って資料データを生成する。また、スキャナ１０ｉは、生成した資料データをテキストデータに変換する機能（以下、「ＯＣＲ」と称する）を有する。
【００１９】
印刷装置１０ｈは、スキャナ１０ｉによって得られた資料データに基づくコンテンツを用紙に印刷する。
【００２０】
ＬＡＮインタフェース１０ｇは、他の画像形成装置等と通信を行うためのＮＩＣ（Network Interface Card）であって、画像形成装置１とハブまたはルータとを接続するために用いられる。
【００２１】
ＦＡＸモデム１０ｊは、他の画像形成装置またはＦＡＸ端末等とファックスプロトコルによる通信を行う装置である。
【００２２】
操作パネル１０ｆは、タッチパネル式の液晶ディスプレイから構成される後述の表示部１３およびテンキー等から構成される図示しない操作部によって構成される。表示部１３には、ユーザに対してメッセージまたは指示を与えるための画面、ユーザが所望する処理の種類および処理条件を入力するための画面、およびＣＰＵ１０ａ等で実行された処理の結果を示す画面等が表示される。
【００２３】
ユーザは、上記の画面を見ながら表示部１３または操作部を操作することによって、画像形成装置１に対して、処理の実行開始または中断等の指令を与え、データの宛先、印刷条件、またはスキャン条件等の処理条件を指定し、その他種々の事項を指定することができる。つまり、操作パネル１０ｆは、画像形成装置１を操作するユーザのためのユーザインタフェースの役割を果たしている。
【００２４】
画像形成装置１は、図２に示すように、主な機能的構成として、表紙有無判定部１１、付加方法選択要求部１２、表紙作成部１４、情報付加部１５、および情報判定解析部１６を含む。
【００２５】
上記のＣＰＵ１０ａがＲＡＭ１０ｂまたはＲＯＭ１０ｃに格納されているプログラムを実行することによって、上記の表紙有無判定部１１、付加方法選択要求部１２、表紙作成部１４、情報付加部１５、および情報判定解析部１６の全部またはその一部が機能的に実現されている。このようなプログラムは、当該プログラムが記録されたＣＤ−ＲＯＭ、ＤＶＤ−ＲＯＭ等の記録媒体ＢＴ１や半導体メモリ等の記録媒体ＢＴ２を含む可搬型の記録媒体ＢＴからインストールすることが可能である。また、ネットワークを介してサーバからプログラムをダウンロードすることも可能である。
【００２６】
また、表紙有無判定部１１、付加方法選択要求部１２、表紙作成部１４、情報付加部１５、および情報判定解析部１６の全体または一部が、ＡＳＩＣ（Application Specific Integrated Circuit)などとしてＬＳＩ化され、ファームウェアまたはハードウェアによって実現されることもある。
【００２７】
従来、記憶装置に記憶されている資料の中の所望の項目に係る部分を印刷する際には、次のようにしていた。
【００２８】
まず、資料の全体をスキャナに読み取らせる。それにより、資料のコンテンツデータである資料データ、および目次情報およびページ情報を含む表紙データが生成される。資料データおよび表紙データは記憶装置に記憶される。以下、目次情報およびページ情報を「表紙情報」と総称する。
【００２９】
そして、画像形成装置において、資料データの格納先（記憶先）であるパス情報を公知の方法（例えば地紋パターンにより付加）で表紙データに付加することによって、新たな表紙データを生成する。この新たな表紙データに基づく表紙が画像形成装置によって出力される。
【００３０】
次に、ユーザは、上記のように出力された表紙をスキャナに読み取らせる。すると、スキャナによって読み取られた表紙のパス情報から記憶装置へのアクセスが行われ、記憶装置に記憶されている表紙データの表紙情報が操作パネルに表示される。
【００３１】
ユーザは、操作パネルに表示された表紙情報から、印刷したい所望の項目を選択する。すると、所望の項目に係る部分の資料データが記憶装置から読み出され、読み出された資料データに基づいてユーザが所望する項目に係る部分の資料が印刷される。このような方法によって、ユーザは所望の項目に係る部分の印刷物を得ることができる。
【００３２】
以下、本実施形態における上記各構成部の動作について説明する。最初に、図３に示すような表紙データＨＤｂによって再現される表紙ＨＹの作成方法について述べる。
【００３３】
ユーザは資料（原稿）をスキャナ１０ｉに読み取らせる。すると、資料のコンテンツデータである資料データＳＤ、および目次情報およびページ情報を含む表紙データＨＤａが生成される。資料データＳＤおよび表紙データＨＤａはハードディスク１０ｄに保存される。表紙データＨＤａは、スキャナ１０ｉのＯＣＲ機能によって画像データが変換されて生成されたテキストデータである。
【００３４】
表紙有無判定部１１は、スキャナ１０ｉによって生成された資料データＳＤに基づいて資料の中に表紙が存在するか否かを判定する。資料の中に表紙が存在しない場合には、表紙作成部１４は表紙データＨＤａを生成する。
【００３５】
ここで、本実施形態では、以下に説明するように、表紙データＨＤａには表紙情報およびパス情報が含まれる。なお、不正行為を防止するために、表紙データＨＤａにパスワードが付加される場合もある。パスワードの認証がされない場合には、ユーザは資料の印刷物を得ることができない。
【００３６】
付加方法選択要求部１２は、図３に示すように、表紙情報およびパス情報の付加方法（形成方法）をユーザに要求するための付加方法選択画面を操作パネル１０ｆの表示部１３に表示させる。
【００３７】
ここで、表紙情報およびパス情報の付加方法の例としては、（１）全て文字で付加、（２）全て地紋パターンで付加、（３）パスワードを除いて全て文字で付加、（４）パス情報およびパスワードを除いて全て文字で付加、する方法等が挙げられる。ユーザは、（１）〜（４）のいずれかの付加方法を操作パネル１０ｆで選択することができる。
【００３８】
なお、（１）の付加方法は、表紙データＨＤａにパスワードを付加する必要がない場合等に選択される。また、（２）の付加方法を選択すると、パス情報およびパスワードだけでなく、表紙情報までもが地紋パターンによって形成される。しかし、本実施形態に係る画像形成装置１は、地紋パターンによって形成された表紙情報を解析することによって、当該表紙情報を文字によって操作パネル１０ｆに表示することができる。
【００３９】
情報付加部１５は、（４）の付加方法が選択された場合には、図４に示すように、目次情報ＭＪおよびページ情報ＥＪを含む表紙情報ＨＪを文字によって表現し、つまり、この場合、スキャナ１０ｉによるＯＣＲ機能によって生成されたテキストデータを用い、パス情報ＰＪおよびパスワードＰＷを地紋パターンＺＰとして表紙データＨＤａに付加する。これにより、新たに表紙データＨＤｂが生成される。
【００４０】
このように生成された表紙データＨＤｂは、対応する資料データＳＤに関連付けされて上記の表紙データＨＤａとは別にハードディスク１０ｄに保存される。なお、表紙データＨＤｂを上記の表紙データＨＤａに上書きしてハードディスク１０ｄに保存してもよい。
【００４１】
印刷装置１０ｈは、表紙データＨＤｂに基づいて表紙ＨＹを印刷する。
【００４２】
続いて、作成された表紙ＨＹを用いて、ユーザが所望する項目に係る印刷物の取得方法について述べる。
【００４３】
まず、ユーザは表紙ＨＹをスキャナ１０ｉに読み取らせる。情報判定解析部１６は、スキャナ１０ｉによって読み取られて生成された表紙データＨＤｂにパスワードＰＷが付加されているか否かを判別する。
【００４４】
そして、情報判定解析部１６は、表紙データＨＤｂにパスワードＰＷが付加されている場合には、表示部１３を介してユーザにパスワードの入力を要求する。表紙データＨＤｂのパスワードＰＷとユーザによって入力されたパスワードとが一致した場合、つまり認証された場合には、表紙データＨＤｂから目次情報ＭＪおよびページ情報ＥＪが検出される。
【００４５】
検出された目次情報ＭＪおよびページ情報ＥＪは、図５に示すように、操作パネル１０ｆに表示される。
【００４６】
ユーザは、出力したい項目番号またはページ番号を入力することができる。ユーザによって項目番号等が入力されると、当該項目番号に係る資料データＳＤがハードディスク１０ｄから読み出され、読み出された資料データＳＤに基づいて資料が出力される。
【００４７】
図６は表紙作成処理の流れの例を説明するフローチャート、図７は所望の項目に係る印刷物を取得するための処理の流れの例を説明するフローチャートである。
【００４８】
図６に示すように、まず、資料の読み取りが行われる（＃１）。次に、資料に表紙ＨＹがある場合には（＃２でＹｅｓ）、表紙情報ＨＪおよびパス情報ＰＪ等の付加方法の選択要求が行われる（＃３）。一方、資料に表紙ＨＹがない場合には（＃２でＮｏ）、表紙データＨＤｂが生成された後（＃４）、上記の＃３の処理が行われる。
【００４９】
次に、ユーザによって選択された付加方法によって、表紙情報ＨＪおよびパス情報ＰＪ等が表紙データＨＤａに付加されることによって、新たに表紙データＨＤｂが生成される（＃５）。そして、資料データＳＤおよび表紙データＨＤｂが保存された後（＃６）、表紙データＨＤｂに基づいて表紙ＨＹが作成される（＃７）。
【００５０】
図７に示すように、まず、表紙ＨＹの読み取りが行われる（＃１１）。次いで、表紙ＨＹの中にパスワードＰＷが存在しない場合には（＃１２でＮｏ）、当該表紙ＨＹの表紙データＨＤｂから表紙情報ＨＪおよびパス情報ＰＪが検出される（＃１３）。
【００５１】
次に、表紙情報ＨＪに基づいて項目選択要求の画面が表示される（＃１４）。そして、ユーザによって選択された項目に係る資料データＳＤがハードディスク１０ｄから読み出された後（＃１５）、当該資料データＳＤに基づいて印刷処理が行われることによって、ユーザが所望する項目に係る印刷物を取得することができる（＃１６）。
【００５２】
一方、表紙ＨＹの中にパスワードＰＷが存在する場合には（＃１２でＹｅｓ）、ユーザに対してパスワードの入力要求が行われる（＃１７）。そして、認証された場合には（＃１８でＹｅｓ）、上記の＃１３〜＃１６の処理が行われる。一方、認証されない場合には（＃１８でＮｏ）、出力不可を示す旨が表示部１３に表示された後（＃１９）、処理が終了する。
【００５３】
図８は所望の項目に係る印刷物を取得するための処理の流れの他の例を説明するフローチャートである。
【００５４】
図８に示すように、まず、目次情報ＭＪおよび当該目次情報ＭＪの各項目に係る資料データＳＤの記憶先であるパス情報ＰＪを含む表紙ＨＹを読み取る（＃２１）。
【００５５】
次に、パス情報ＰＪに示される記憶先にアクセスすることなく表紙ＨＹに含まれる目次情報ＭＪを表示する（＃２２）。そして、表示された目次情報ＭＪのうちユーザが所望する項目を当該ユーザに選択させる（＃２３）。
【００５６】
続いて、選択された項目に係る資料データＳＤをパス情報ＰＪに示される記憶先から読み出し（＃２４）、読み出した資料データＳＤを用紙に印刷する（＃２５）。
【００５７】
[本実施形態における効果]
本実施形態では、目次情報ＭＪ、ページ情報ＥＪ、およびパス情報ＰＪを含む表紙ＨＹを作成する。これにより、ユーザが表紙ＨＹを使ってハードディスク１０ｄに保存されている資料データＳＤのうち所望の項目に係る部分を印刷する際に、表紙ＨＹがスキャナ１０ｉに読み取られた場合に、ハードディスク１０ｄにアクセスすることなく、目次情報ＭＪおよびページ情報ＥＪを表示部１３に表示することができる。
【００５８】
したがって、ユーザが所望する項目に係る印刷物の出力の際に、ハードディスク１０ｄにアクセスして目次情報ＭＪおよびページ情報ＥＪを検索する無駄時間が発生しないので、ユーザは所望する項目に係る印刷物を従来よりも迅速に得ることができる。
【００５９】
[他の実施形態]
上記実施形態では、パス情報ＰＪおよびパスワードＰＷを地紋パターンＺＰによって表紙データＨＤａに付加したが、これに限定されるものではなく、電子透かしやバーコード等の他の付加方法によって付加してもよい。
【００６０】
また、画像形成装置１、および、１または複数の他の画像形成装置にＬＡＮ等の通信回線を介して接続されたサーバに資料データＳＤを保存しておいてもよい。この場合、画像形成装置１によって作成された表紙ＨＹを他の画像形成装置の読取装置に読み取らせた場合にも、ユーザは、他の画像形成装置において表示された目次情報ＭＪから所望の項目番号を選択することによって、資料における所望の項目に係る部分の印刷物を得ることができる。
【００６１】
その他、画像形成装置１の全体または各部の構成、処理内容、処理順序等は、本発明の趣旨に沿って適宜変更することが可能であり、この場合にも上記の特有かつ格別の効果が奏される。
【図面の簡単な説明】
【００６２】
【図１】画像形成装置のハードウェア構成の例を示す図である。
【図２】画像形成装置の機能的構成の例を示す図である。
【図３】付加方法選択画面の例を示す図である。
【図４】表紙の例を示す図である。
【図５】項目選択画面の例を示す図である。
【図６】表紙作成処理の流れの例を説明するフローチャートである。
【図７】所望の項目に係る印刷物を取得するための処理の流れの例を説明するフローチャートである。
【図８】所望の項目に係る印刷物を取得するための処理の流れの他の例を説明するフローチャートである。
【符号の説明】
【００６３】
１  画像形成装置
１０ｄ  ハードディスク（記憶手段）
１０ｆ  操作パネル（項目選択手段）
１０ｈ  印刷装置（印刷手段）
１０ｉ  スキャナ（読取手段、情報生成手段）
１２  付加方法選択要求部（生成方法選択要求手段）
１４  表紙作成部（表紙作成手段）
１５  情報付加部（情報生成手段）
１６  情報判定解析部（パスワード要求手段）
ＥＪ  ページ情報
ＨＤｂ  表紙データ
ＨＪ  表紙情報
ＨＹ  表紙
ＭＪ  目次情報
ＰＪ  パス情報
ＰＷ  パスワード
ＳＤ  資料データ
ＺＰ  地紋パターン
【図１】
2009302720.tif 000003
【図２】
2009302720.tif 000004
【図３】
2009302720.tif 000005
【図４】
2009302720.tif 000006
【図５】
2009302720.tif 000007
【図６】
2009302720.tif 000008
【図７】
2009302720.tif 000009
【図８】
2009302720.tif 000010